【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
デュアルディスプレイの通信デバイスが開状態にあるとセンサによって判定することであって、前記開状態において、第１のタッチセンサ式画面の第１のタッチセンサ式ディスプレイが有効にされるとともに第２のタッチセンサ式画面の第２のタッチセンサ式ディスプレイが有効にされる、当該判定すること、
前記第１及び第２のタッチセンサ式画面のうちの一方又は両方における前記タッチセンサ式ディスプレイによって、或いは前記第１及び第２のタッチセンサ式画面のうちの一方又は両方におけるジェスチャ捕捉領域によって第１のジェスチャを受信すること、
前記第１のジェスチャを受信することに応答して、前記第１のタッチセンサ式ディスプレイ上にデスクトップスタックのうちの第１の表示デスクトップを表示することを中止して、前記デスクトップスタックのうちの異なる第２の表示デスクトップを前記第１のタッチセンサ式ディスプレイ上に表示すること、
前記第１のジェスチャを受信することに応答して、前記第２のタッチセンサ式ディスプレイ上に前記デスクトップスタックのうちの前記異なる第２の表示デスクトップを表示することを中止して、前記デスクトップスタックのうちの異なる第３の表示デスクトップを前記第２のタッチセンサ式ディスプレイ上に表示すること、
前記第１及び第２のタッチセンサ式画面のうちの一方又は両方における他方の前記タッチセンサ式ディスプレイによって、或いは前記第１及び第２のタッチセンサ式画面のうちの一方又は両方における他方の前記ジェスチャ捕捉領域によって第２のジェスチャを受信すること、
前記第２のジェスチャを受信することに応答して、前記通信デバイスの前記第１のタッチセンサ式ディスプレイ上にアプリケーションの第１の表示ウィンドウを表示することを中止して、前記通信デバイスの前記第２のタッチセンサ式ディスプレイ上に前記アプリケーションの前記第１の表示ウィンドウを表示することを開始すること、
を備える方法。
【請求項２】
前記第１のジェスチャが前記第１及び第２のタッチセンサ式画面のうちの一方又は両方のジェスチャ捕捉領域によって受信されるものであり、前記第１及び第２の表示デスクトップがデスクトップスタックにおいて順序付けられたデスクトップのセットのうちの隣接する２つである、請求項２に記載の方法。
【請求項３】
受信された前記第１のジェスチャは、前記デスクトップスタックにおいて順序付けられたデスクトップのセットをナビゲートすることを可能とする、請求項１に記載の方法。
【請求項４】
受信された前記第１のジェスチャがドラッグジェスチャであり、前記第１のタッチセンサ式ディスプレイが縦向きディスプレイ方向にあり、前記第１の表示デスクトップが以前にアクティブ状態にあり、前記第２の表示デスクトップが以前に非アクティブ状態にあり、前記第１の表示デスクトップが現在、非アクティブ状態となり、前記第２の表示デスクトップが現在、アクティブ状態となる、請求項１に記載の方法。
【請求項５】
請求項１に記載の処理を実行するように動作可能なプロセッサ実行可能命令を備えた不揮発性のコンピュータ可読媒体。
【請求項６】
デュアルディスプレイの通信デバイスであって、
１つ又は複数のジェスチャ捕捉領域と第１のタッチセンサ式ディスプレイとを有する第１のタッチセンサ式画面であって、ジェスチャを受信してデスクトップスタックの少なくとも１つのデスクトップを表示するように構成されている第１のタッチセンサ式画面と、
１つ又は複数のジェスチャ捕捉領域と第２のタッチセンサ式ディスプレイとを有する第２のタッチセンサ式画面であって、ジェスチャを受信して前記デスクトップスタックの少なくとも１つのデスクトップを表示するように構成されている第２のタッチセンサ式画面と、
以下に記載する動作を実行するように動作可能なミドルウェアと、
を備え、当該動作が、
受信したユーザジェスチャに応答して、前記第２のタッチセンサ式ディスプレイ上に第１の表示画像を表示することを開始すること、
前記デュアルディスプレイの通信デバイスが開状態にあるとセンサに基づいて判定することであって、前記開状態において、前記第１のタッチセンサ式ディスプレイが有効にされるとともに前記第２のタッチセンサ式ディスプレイが有効にされる、当該判定すること、
前記第１及び第２のタッチセンサ式画面のうちの一方又は両方における前記タッチセンサ式ディスプレイによって、或いは前記第１及び第２のタッチセンサ式画面のうちの一方又は両方におけるジェスチャ捕捉領域によって第１のジェスチャを受信することであって、前記ジェスチャ捕捉領域が、前記タッチセンサ式画面における前記タッチセンサ式ディスプレイの外側の場所又は領域を含む、当該受信すること、
前記第１のジェスチャを受信することに応答して、前記通信デバイスの前記第１のタッチセンサ式ディスプレイ上に第１の表示デスクトップを表示することを中止して、前記通信デバイスの前記第２のタッチセンサ式ディスプレイ上に前記第１の表示デスクトップを表示することを開始すること、
他方の前記タッチセンサ式ディスプレイによって、或いは他方の前記ジェスチャ捕捉領域によって第２のジェスチャを受信すること、
前記第２のジェスチャを受信することに応答して、前記通信デバイスの前記第１のタッチセンサ式ディスプレイ上にアプリケーションの第１の表示ウィンドウを表示することを中止して、前記通信デバイスの前記第２のタッチセンサ式ディスプレイ上に前記アプリケーションの前記第１の表示ウィンドウを表示することを開始すること、
を備える、通信デバイス。
【請求項７】
前記第１のジェスチャが前記第１及び第２のタッチセンサ式画面のうちの一方又は両方における前記タッチセンサ式ディスプレイによって受信されるものであり、前記第１の表示デスクトップは順序付けられたデスクトップのセットのうちの１つである、請求項６に記載の通信デバイス。
【請求項８】
前記第２のジェスチャが前記第１及び第２のタッチセンサ式画面のうちの一方又は両方における前記ジェスチャ捕捉領域によって受信されるものであり、前記ジェスチャ捕捉領域は表示画像を表示不可とする領域であり、前記アプリケーションのアプリケーションウィンドウは順序付けられたウィンドウのセットのうちの１つである、請求項６に記載の通信デバイス。
【請求項９】
前記第１及び第２の表示デスクトップが順序付けられたデスクトップ画像のうちの隣接する２つである、請求項６に記載の通信デバイス。
【請求項１０】
前記第２のジェスチャが前記第１及び第２のタッチセンサ式画面のうちの一方又は両方における前記ジェスチャ捕捉領域によって受信されるものであり、前記ジェスチャ捕捉領域は表示画像を表示不可とする領域であり、前記第１及び第２の表示ウィンドウが順序付けられたウィンドウのうちの隣接する２つである、請求項９に記載の通信デバイス。
【請求項１１】
前記受信される第１のジェスチャがドラッグジェスチャであり、前記第１のタッチセンサ式ディスプレイが縦向きディスプレイ方向にあり、前記通信デバイスが開状態及び閉状態を有するものであり、前記第１の表示デスクトップが以前にアクティブ状態にあり、前記第２の表示デスクトップが以前に非アクティブ状態にあり、前記第１の表示デスクトップが現在、非アクティブ状態となり、前記第２の表示デスクトップが現在、アクティブ状態となる、請求項６に記載の通信デバイス。
【請求項１２】
前記受信される第１のジェスチャがドラッグジェスチャであり、前記ジェスチャ捕捉領域によって受信されるジェスチャは、順序付けられたデスクトップのセットをナビゲートすることを可能とし、前記タッチセンサ式ディスプレイによって受信されるジェスチャは、順序付けられたウィンドウのセットをナビゲートすることを可能とする、請求項６に記載の通信デバイス。
【手続補正２】
【補正対象書類名】明細書
【補正対象項目名】発明の名称
【補正方法】変更
【補正の内容】
【発明の名称】デュアルディスプレイに画像を表示する方法及び通信デバイスならびにコンピュータ可読媒体